(57)【要約】【課題】複数の原稿を含んだ画像データの原稿の配置を容易に変更することができる画像処理装置を提供する。【解決手段】原稿の配置を並び替える場合、原稿の画像データを読み取り、保存した後、ＱＲコードの検索を行い、ＱＲコードが含まれていない場合には、原稿配置状態の問合せ画面を表示し、ユーザに原稿配置状態を選択させる（ステップ101〜105）。次に、原稿配置の順番指定画面を表示し、順番が指定された後、配置が確定されると、指定された順番に原稿の配置を並び替える（ステップ106〜115）。この後、ＱＲコード付与の問合せ画面を表示し、ユーザがＱＲコードの付与を指示した場合、原稿の配置を並び替えた画像データの原稿配置情報のＱＲコードを生成し、これを原稿の配置を並び替えた画像データに埋め込んで合成し、プリント処理を実行する（ステップ116〜121）。【選択図】図３
2009100257.tif 000002
【特許請求の範囲】
【請求項１】
複数の原稿が含まれた画像を読み取る画像読取部と、上記画像読取部で読み取った画像データの原稿配置状態を表示する表示部と、上記表示部に表示された複数の原稿の配置を指示する指示部と、画像データを記録する画像記録部と、上記各部を制御する制御部とを備えた画像処理装置であって、
上記制御部が、画像データの複数の原稿を上記指示部で指示された配置に並べ替えた後、上記画像記録部により記録することを特徴とする画像処理装置。
【請求項２】
請求項１に記載された画像処理装置において、
上記画像読取手段で読み取った画像データ中に存在する情報コードを検索し、解析するとともに、情報コードを生成する情報コード検索及び生成部を備え、
上記制御手段が、上記情報コード検索及び生成部により解析した情報コードに基づいて複数の原稿が含まれた画像データの原稿配置の順番を上記表示部に表示することを特徴とする画像処理装置。
【請求項３】
請求項２に記載された画像処理装置において、
上記情報コード検索及び生成部が、原稿の配置を並べ替えた画像データの原稿の配置の順番に関する情報コードを生成し、上記制御部が当該情報コードを原稿の配置を並べ替えた画像データに付加して、上記画像記録部により記録することを特徴とする画像処理装置。
【発明の詳細な説明】
【技術分野】
【０００１】
本発明は、画像処理装置、特に複数の原稿を含んだ画像データの原稿の配置を変更する機能を備えた画像処理装置に関する。
【背景技術】
【０００２】
コピー機能、ファクシミリ機能、プリント機能等を有するデジタル複合機あるいはコピー装置の中には、複数（２、４、６、８）枚の原稿をそれぞれ縮小し、１枚の用紙にまとめてプリントアウトする集約（Ｎin１）コピー機能を備えているものがある。
【０００３】
一方、最近、ＱＲ（クイック・レスポンス）コード等の二次元バーコードがチラシなどの印刷物に記載され、携帯電話などで読み取ることによりその中に含まれているＵＲＬなどの情報にアクセスできるようになってきている。そして、デジタル複合機においても、原稿スキャンあるいは印字時にＱＲコードを検索してデコード処理を行い、その結果を基に種々の機能を実行したり、新たな情報に変換して再度エンコードすることが考えられている（例えば、特許文献１参照）。
【特許文献１】特開２００６−１１５０２１号公報
【０００４】
このようなＱＲコードをデジタル複合機に利用する場合、上記のＮin１コピー機能の利用時に原稿の配置情報をＱＲコードとして付加すれば、画像の読取時に画像の配置位置を認識することが可能となる。
【発明の開示】
【発明が解決しようとする課題】
【０００５】
上記のようにデジタル複合機のＮin１機能を利用したコピー資料、あるいは、パワーポイント（登録商標）により作成した配布資料のように、複数の原稿が１つに集約されている場合、コピーや印刷する際に指定する順番によって配置がばらばらである。このため、このような資料が複数配布された場合、ファイリングする際には向きを考慮する必要があり、また、その資料を見直す際に、配置の順番をチェックする必要があるので、資料を見直すのに手間がかかる、という問題があった。
【０００６】
本発明は、上記の問題に鑑みてなされたもので、複数の原稿を含んだ画像データの原稿の配置を容易に変更することができる画像処理装置を提供することを目的とする。
【課題を解決するための手段】
【０００７】
上述の目的を達成するため、本発明の画像処理装置は、複数の原稿が含まれた画像を読み取る画像読取部と、画像読取部で読み取った画像データの原稿配置状態を表示する表示部と、表示部に表示された複数の原稿の配置を指示する指示部と、画像データを記録する画像記録部と、上記各部を制御する制御部とを備えた画像処理装置であって、制御部が、画像データの複数の原稿を指示部で指示された配置に並べ替えた後、画像記録部により記録することを特徴とする。
【０００８】
また、本発明の他の画像処理装置は、上記の画像処理装置において、画像読取手段で読み取った画像データ中に存在する情報コードを検索し、解析するとともに、情報コードを生成する情報コード検索及び生成部を備え、情報コード検索及び生成部により解析した情報コードに基づいて複数の原稿が含まれた画像データの原稿の配置の順番を表示手段に表示したり、原稿の配置を並べ替えた画像データの原稿の配置の順番に関する情報コードを画像データに付加して、記録することを特徴とする。
【発明の効果】
【０００９】
本発明の画像処理装置によれば、複数の原稿を含んだ画像データの原稿配置状態を表示した状態で複数の原稿の配置を指示することにより、原稿の配置を任意に並べ替えた画像データを記録することできる。したがって、ユーザの所望する順番で原稿が配置された資料を得ることができ、ファイリングが容易になるとともに、ファイリングした資料を見直す場合に容易に複数の原稿の配置の順番を理解することが可能となる。
【００１０】
また、情報コード検索及び生成部により解析した情報コードに基づいて複数の原稿を含んだ画像データの原稿の配置の順番を表示部に表示すれば、ユーザが原稿の配置の順番を容易に理解することができる。
さらに、原稿の配置を並べ替えた画像データの原稿の配置の順番に関する情報コードを生成し、画像データに付加して記録すれば、他のユーザに配布した場合に、他のユーザが容易に原稿の配置の順番を理解することができる。
【実施例１】
【００１１】
以下、本発明の画像処理装置をデジタル複合機に適用した実施例について説明する。図１はデジタル複合機のハードウェア構成を示すブロック図であり、このデジタル複合機は、ＣＰＵ１、ＲＯＭ（Read  Only  Memory）２、ＳＲＡＭ（Static  Random  Access  Memory）３、表示・操作部４、読取部５、画像メモリ６、記録部７、コーデック８、モデム９、ネットワーク制御ユニット（ＮＣＵ）１０、ＱＲコード処理部１１及びＬＡＮインターフェース（ＬＡＮ  Ｉ／Ｆ）１２から構成され、各部がバス１３を介して接続されている。
【００１２】
ＣＰＵ１はバス１３を介してデジタル複合機のハードウェア各部を制御するとともに、ＲＯＭ２に記憶されたプログラムに基づいて各種のプログラムを実行し、ＲＯＭ２はデジタル複合機の動作に必要な種々のプログラムや操作メッセージ等を予め記憶している。また、ＳＲＡＭ３は、画像データの原稿の配置の順番、及び、ＱＲコードの復元情報あるいはＱＲコードにコード化する情報等のプログラムの実行時に発生する一時的なデータを記憶する。
【００１３】
表示・操作部４は、デジタル複合機の動作状態を表示したり、種々の機能の操作画面の表示を行う表示部と、デジタル複合機を操作するための複数のキーよりなり、図２に示すように、表示部を構成するＬＣＤ表示部２１と多数の操作キーから構成されている。ＬＣＤ表示部２１には、タッチパネルスイッチが配設され、ＬＣＤ表示部２１に表示された項目部分を押下することで、対応する項目の選択や機能の実行を行うことができる。
本実施例では、このＬＣＤ表示部２１が、本発明の画像データの原稿配置状態を表示する表示部と、表示部に表示された複数の原稿の配置を指示する指示部の両方の機能を実行する。
【００１４】
また、操作キーとして、テンキー２２、スタートキー２３、リセットキー２４、ストップキー２５、複数のワンタッチダイヤルキー２６、十字キー２７、リターンキー２８、セットキー２９が設けられている。さらに機能切替キーとして、ＦＡＸ切替キー３０、コピー切替キー３１、スキャナ切替キー３２が設けられている。なお、ＬＣＤ表示部２１によりこれらの操作キーあるいは機能切替キーの一部又は全部を代用することも可能である。
【００１５】
読取部５はオートドキュメントフィーダー（ＡＤＦ）あるいはフラットベッドスキャナ（ＦＢＳ）等の読取り用原稿載置台を備え、ＣＣＤ等を利用したスキャナで原稿を読み取り、ドットイメージデータを出力する。
また、画像メモリ６は、ＤＲＡＭ等を用いて構成され、送信すべき画像データまたは受信した画像データあるいは読取部５で読み取った画像データを記憶する。記録部７は電子写真方式等のプリンタ装置を備え、受信したデータ、コピー原稿データあるいは外部のパソコン等から送信されたプリントデータをプリントアウトする。
【００１６】
コーデック８は所定のプロトコルに対応して符号化及び復号するものであり、読み取った原稿の画像データを送信するためにＭＨ、ＭＲまたはＭＭＲ方式により符号化し、外部から受信した画像データを復号する。また、このコーデック８は電子メールに添付可能なファイルとして一般的に利用される画像フォーマットであるＴＩＦＦ方式等にも対応して符号化及び復号する。
【００１７】
モデム９はバス１３に接続されており、ファクシミリ通信が可能なファクスモデムとしての機能を有し、このモデム９は同様にバス１３に接続されたＮＣＵ１０と接続されている。ＮＣＵ１０はアナログ回線の閉結及び開放の動作を行うハードウェアであり、必要に応じてモデム９を公衆交換電話網（ＰＳＴＮ）に接続する。
【００１８】
一方、ＱＲコード処理部１１は、入力された画像データの中からＱＲコードの添付位置を検索してＱＲコードを抽出するとともに、抽出されたＱＲコードをデコードすることによりＱＲコードに格納されている情報を取得する。また、このＱＲコード処理部１１は入力された情報をエンコードすることによりＱＲコードの生成も実行する。
【００１９】
ＬＡＮインターフェース１２はＬＡＮ等のネットワークに接続され、ネットワークに接続されたパソコンからの信号を受信する一方、ネットワークに対して信号あるいはデータを送信するものであり、信号変換あるいはプロトコル変換などのインターフェース処理を実行する。
【００２０】
デジタル複合機は上記のような構成を備えており、ファクシミリ送信時には、原稿の画像データが読取部５で読み取られ、コーデック８で圧縮されて画像メモリ６に蓄積される。この圧縮された画像データが画像メモリ６から読み出されてモデム９で変調され、ＮＣＵ１０からＰＳＴＮを通して通信相手先に送信される。また、ファクシミリ受信時には、受信した画像データがモデム９で復調され、画像メモリ６に蓄積された後、コーデック８で復号されて記録部７によりプリントされる。
【００２１】
さらに、ユーザがコピーを行う場合には、読取部５のＡＤＦまたはＦＢＳに原稿をセットし、コピー設定画面で記録用紙サイズの選択、コピー部数の設定等を行う。その後、表示・操作部４のスタートキー２３を押下することにより、原稿の画像データが読取部５で読み取られ、コーデック８で圧縮されて画像メモリ６に蓄積された後、コーデック８で復号されて記録部７によりプリントされる。
【００２２】
上記のコピー時に、複数の原稿を含んだ画像データにおける原稿の配置を並び替えることができ、以下、原稿の配置の並び替えを実行する場合の作用について、図３のフローチャートにより説明する。
ユーザが表示・操作部４のＬＣＤ表示部２１に表示されたコピー設定画面で並び替えの機能を指定した場合、ＣＰＵ１は図３のフローチャートに示すプログラムを開始する。
【００２３】
図３のフローチャートに示すプログラムを開始すると、ＣＰＵ１は、まず、読取部５の読取り用原稿載置台にセットされた原稿の画像データを読取部５で読み取り、コーデック８で圧縮して画像メモリ６に蓄積する（ステップ１０１）。
次に、ＣＰＵ１は、圧縮された画像データを画像メモリ６から読み出した後、コーデック８で復号したビットマップデータをＱＲコード処理部１１に入力し、ＱＲコードの検索を指示する（ステップ１０２）。これにより、ＱＲコード処理部１１が、例えば、原稿の左上隅からＱＲコードの検索を開始し、ＱＲコードが発見された場合には、抽出したＱＲコードをデコードした復元情報を出力する。
【００２４】
ＱＲコード処理部１１にＱＲコードの検索開始を指示した後、ＣＰＵ１は、ＱＲコード処理部１１からＱＲコードの復元情報が出力されたか否かを判断することにより、読み取った画像データにＱＲコードが含まれているか否かを判定する（ステップ１０３）。
読み取った画像データにＱＲコードが含まれていないと判定した場合、ＣＰＵ１は、表示・操作部４のＬＣＤ表示部２１に原稿配置状態の問合せ画面を表示する（ステップ１０４）。
【００２５】
図４は上記の原稿配置状態の問合せ画面の一例であり、図に示すように、この画面には、２、４、６、８の分割数の原稿配置例が表示されており、ユーザがこれらの中からいずれかを選んでタッチすることにより、原稿配置状態を選択することができる。
【００２６】
原稿配置状態の問合せ画面を表示した後、ＣＰＵ１は、ユーザが問合せ画面のいずれかの原稿配置状態にタッチしたか否かを判定することにより、ユーザが原稿配置状態を指示したか否かを判定する（ステップ１０５）。そして、例えば、ユーザが４分割の原稿配置状態を指示したと判定した場合、ＣＰＵ１は、図５に示すように、表示・操作部４のＬＣＤ表示部２１に４分割の原稿配置の順番指定画面を表示する（ステップ１０６）。
【００２７】
ユーザは、この原稿配置の順番指定画面で、配置の順番が決まっていない原稿配置位置にタッチすることにより、表示上一番小さい番号から順次配置の順番を指定することができる。また、ユーザが順番が設定されている原稿配置位置に再度タッチすることにより、配置の順番の番号を消去することができ、ユーザは順番付けのやり直しを行うこともできる。
【００２８】
すなわち、ＣＰＵ１は、図５の原稿配置の順番指定画面を表示した後、ユーザがいずれかの原稿配置位置にタッチしたか否かを判定する（ステップ１０７）。ユーザがいずれかの原稿配置位置にタッチしたと判定した場合、ＣＰＵ１は、その原稿配置位置にすでに番号が付与されているか否かを判定する（ステップ１０８）。なお、原稿配置の順番指定画面の原稿配置位置に応じた順番記憶領域がＳＲＡＭ３に設けられており、この順番記憶領域をチェックすることにより原稿配置位置にすでに番号が付与されているか否かを判定することができる。
【００２９】
ユーザがタッチした原稿配置位置に番号が付与されていないと判定した場合、ＣＰＵ１は、その原稿配置位置に未だ付与されていない一番小さい番号を付与して順番記憶領域に記憶するとともに、その番号を原稿配置の順番指定画面に表示する（ステップ１０９）。
一方、ユーザがタッチした位置の原稿配置位置に番号がすでに付与されていると判定した場合、ＣＰＵ１は、すでに付与した番号をＳＲＡＭ３の順番記憶領域から削除する（ステップ１１０）。
【００３０】
番号の付与または消去を実行した後、あるいは、ステップ１０７でユーザが原稿配置位置にタッチしていないと判定した場合、ＣＰＵ１は、図５の原稿配置の順番指定画面でユーザが「配置設定」ボタンにタッチしたか否か判定する（ステップ１１１）。
ユーザが「配置設定」ボタンにタッチしておらず、配置が確定されていないと判定した場合、ＣＰＵ１は、ステップ１０７に戻って、再び、原稿配置位置にユーザがタッチしたか否かを判定する。また、ユーザが「配置設定」ボタンにタッチし、配置が確定されたと判定した場合、ＣＰＵ１は、全ての原稿配置位置に順番が付与されているか否かを判定する（ステップ１１２）。
【００３１】
全ての原稿配置位置に順番が付与されていないと判定した場合、ＣＰＵ１は、図６に示す順番指定要請画面を表示した（ステップ１１３）後、ステップ１０７に戻って、再び、原稿配置位置にユーザがタッチしたか否かを判定する。
一方、ステップ１１２で全ての原稿配置位置に順番が付与されていると判定した場合、ＣＰＵ１は、画像メモリ６から読み出した圧縮画像データをコーデック８で復号し、指定された順番に複数の原稿の配置を並び替える（ステップ１１４）。この後、ＣＰＵ１は、原稿の配置を並び替えた画像データをコーデック８で圧縮して画像メモリ６に蓄積する（ステップ１１５）。
【００３２】
次に、ＣＰＵ１は、図７に示すＱＲコード付与の問合せ画面を表示した（ステップ１１６）後、ユーザがＱＲコードを付与するように指示したか否かを判定する（ステップ１１７）。図７の問合せ画面でユーザが「ＹＥＳ」ボタンにタッチし、ユーザがＱＲコードを付与するように指示したと判定した場合、ＣＰＵ１は、原稿の配置を並び替えた画像データの原稿配置情報をＱＲコード処理部１１に送ってＱＲコードを生成させる（ステップ１１８）。この後、ＣＰＵ１は、画像メモリ６から原稿の配置を並び替えた画像データを読み出し、コーデック８で復号した後、この画像データの特定位置に生成されたＱＲコードの画像を埋め込んで合成する（ステップ１１９）。次に、ＣＰＵ１は、表示・操作部４のスタートキー２３が押下されたか否かを判定し（ステップ１２０）、スタートキー２３が押下されたと判定した場合、ＱＲコードが埋め込まれた画像データを記録部７によりプリントする（ステップ１２１）。
【００３３】
一方、図７の問合せ画面でユーザが「ＮＯ」ボタンにタッチし、ユーザがＱＲコードを付与しないと指示したと判定した場合、ＣＰＵ１は、同様に、スタートキー２３が押下されたか否かを判定し（ステップ１２０）、プリント処理を実行する（ステップ１２１）。すなわち、ＣＰＵ１は、画像メモリ６から原稿の配置が並び替えられた画像データを読み出し、コーデック８で復号した後、記録部７によりプリントする。
【００３４】
次に、ステップ１０３で読み取った画像データにＱＲコードが含まれていると判定した場合の作用について説明する。
図８はＱＲコードの一例を示すものであり、このＱＲコードは図９に示すように、Ａ４横の用紙に図に示す順番で原稿が配置された４in１の画像データのＱＲコードの例であり、（１）〜（４）の順番に原稿位置を数値化したデータがＱＲコード化されている。
【００３５】
ステップ１０３で読み取った画像データにＱＲコードが含まれていると判定した場合、ＣＰＵ１は、ＱＲコード処理部１１から出力されるＱＲコードの復元情報をＳＲＡＭ３に記憶する（ステップ１２２）。次に、ＣＰＵ１は、図１０に示すように、ＱＲコードの復元情報に基づいた現在の原稿配置の順番を表示した原稿配置と、原稿配置の順番を指定するための原稿配置の両者を表示した原稿配置の順番指定画面を表示する（ステップ１２３）。
【００３６】
この後、ＣＰＵ１は、ユーザが図１０の順番指定画面のいずれかの原稿配置位置にタッチしたか否かを判定するが、以降の作用はＱＲコードが含まれていない場合と同じであるので、詳細な説明は省略する。
【００３７】
以上のように、複数の原稿を含んだ画像データの原稿配置状態を表示した状態で複数の原稿の配置の順番を指定すれば、原稿の配置を任意に並べ替えた画像データを記録することできる。したがって、ユーザの所望する順番で原稿が配置された資料を得ることができ、ファイリングが容易になるとともに、ファイリングした資料を見直す場合に容易に複数の原稿の配置の順番を理解することが可能となる。
【実施例２】
【００３８】
上記の実施例では、原稿配置の順番指定画面を表示し、ユーザに順次原稿配置の順番を指定させるようにしたが、予め原稿の配置の順番が設定されている複数の配置パターンの中からユーザに一つのパターンを選択させることもできる。
以下、複数の配置パターンの中からいずれかをユーザに選択させることにより原稿配置の並び替えを行う場合の作用を図１１のフローチャートにより説明する。
【００３９】
ユーザが表示・操作部４のＬＣＤ表示部２１に表示されたコピー設定画面で並び替えの機能を指定した場合、ＣＰＵ１は図１１のフローチャートに示すプログラムを開始する。
図１１のフローチャートに示すプログラムを開始すると、ＣＰＵ１は、まず、読取部５の読取り用原稿載置台にセットされた原稿の画像データを読取部５で読み取り、コーデック８で圧縮して画像メモリ６に蓄積する（ステップ２０１）。
【００４０】
次に、ＣＰＵ１は、圧縮された画像データを画像メモリ６から読み出した後、コーデック８で復号したビットマップデータをＱＲコード処理部１１に入力し、ＱＲコードの検索を指示する（ステップ２０２）。これにより、ＱＲコード処理部１１が、ＱＲコードの検索を開始し、ＱＲコードが発見された場合には、抽出されたＱＲコードをデコードした復元情報を出力する。
【００４１】
ＱＲコード処理部１１にＱＲコードの検索開始を指示した後、ＣＰＵ１は、ＱＲコード処理部１１からＱＲコードの復元情報が出力されたか否かを判断することにより、読み取った画像データにＱＲコードが含まれているか否かを判定する（ステップ２０３）。
読み取った画像データにＱＲコードが含まれていないと判定した場合、ＣＰＵ１は、表示・操作部４のＬＣＤ表示部２１に図４に示す原稿配置状態の問合せ画面を表示する（ステップ２０４）。
【００４２】
原稿配置状態の問合せ画面を表示した後、ＣＰＵ１は、ユーザが問合せ画面のいずれかの原稿配置状態にタッチしたか否かを判定することにより、ユーザが原稿配置状態を指示したか否かを判定する（ステップ２０５）。そして、例えば、ユーザが４分割の原稿配置を指示したと判定した場合、ＣＰＵ１は、図１２に示すように、表示・操作部４のＬＣＤ表示部２１に４分割の原稿の配置の順番が設定されている複数の配置パターンを表示する（ステップ２０６）。
【００４３】
次に、ＣＰＵ１は、図１２の複数の配置パターンの表示画面で、ユーザがいずれかの配置パターンにタッチしたか否かを判定する（ステップ２０７）。そして、ユーザがいずれかの配置パターンにタッチしたと判定した場合、ＣＰＵ１は、画像メモリ６から読み出した圧縮画像データをコーデック８で復号し、指定された原稿配置パターンに基づいて原稿の配置を並び替える（ステップ２０８）。この後、ＣＰＵ１は、原稿の配置を並び替えた画像データをコーデック８で圧縮して画像メモリ６に蓄積する（ステップ２０９）。
次に、ＣＰＵ１はＱＲコード付与の問合せ画面を表示する（ステップ２１０）が、以降のステップ２１０〜ステップ２１５の作用は、図３のフローチャートのステップ１１６〜ステップ１２１の作用と同じであるので詳細な説明は省略する。
【００４４】
一方、ステップ２０３で読み取った画像データにＱＲコードが含まれていると判定した場合、ＣＰＵ１は、ＱＲコード処理部１１から出力されるＱＲコードの復元情報をＳＲＡＭ３に記憶する（ステップ２１６）。次に、ＣＰＵ１は、図１３に示すように、ＱＲコードの復元情報に基づいた現在の原稿の配置の順番を表示した原稿配置と、原稿の配置の順番が設定されている複数の配置パターンの両者が表示された配置パターン指定画面を表示する（ステップ２１７）。
【００４５】
この後、ＣＰＵ１は、ユーザが図１３の配置パターン指定画面において、いずれかの配置パターンを指示したか否かを判定する（ステップ２０７）が、以降の作用は画像データにＱＲコードが含まれていない場合と同じであるので、詳細な説明は省略する。
【００４６】
以上のように、ユーザが原稿の配置の順番が設定されている複数の配置パターンの中から一つを選択することにより原稿の配置位置を簡単に指示することができ、複数の原稿をユーザの所望する配置に並べ替えた画像データを容易に得ることができる。
【００４７】
なお、上記の実施例では、情報コードとしてＱＲコードを例として説明したが、その他の情報コードであっても本発明の画像処理装置を適用することが可能である。
また、上記の実施例では、本発明の画像処理装置をデジタル複合機に適用した例について説明したが、本発明の画像処理装置はコピー機等の他の画像処理装置にも適用することが可能である。
【図面の簡単な説明】
【００４８】
【図１】デジタル複合機のハードウェア構成を示すブロック図である。
【図２】表示・操作部の詳細な構成を示す図である。
【図３】原稿の配置の並び替えを実行する場合の作用を示すフローチャートである。
【図４】原稿配置状態の問合せ画面の一例である。
【図５】４分割の原稿配置の順番指定画面の一例である。
【図６】順番指定要請画面の一例である。
【図７】ＱＲコード付与の問合せ画面の一例である。
【図８】ＱＲコードの一例である。
【図９】図８のＱＲコードが示す原稿配置を説明するための図である。
【図１０】ＱＲコードの復元情報に基づいた現在の順番を表示した原稿配置と、順番を指定するための原稿配置の両者を表示した順番指定画面の一例である。
【図１１】複数の配置パターンの中から一つを選択させることにより原稿配置の並び替えを行う場合の作用を示すフローチャートである。
【図１２】順番が設定されている複数の配置パターンを表示した配置パターン指定画面の一例である。
【図１３】ＱＲコードの復元情報に基づいた現在の順番を表示した原稿配置と、順番が設定されている複数の配置パターンの両者が表示された配置パターン指定画面の一例である。
【符号の説明】
【００４９】
１  ＣＰＵ
２  ＲＯＭ
３  ＳＲＡＭ
４  表示・操作部
５  読取部
６  画像メモリ
７  記録部
８  コーデック
９  モデム
１０  ＮＣＵ
１１  ＱＲコード処理部
１２  ＬＡＮ  Ｉ／Ｆ
１３  バス
【図１】
2009100257.tif 000003
【図２】
2009100257.tif 000004
【図３】
2009100257.tif 000005
【図４】
2009100257.tif 000006
【図５】
2009100257.tif 000007
【図６】
2009100257.tif 000008
【図７】
2009100257.tif 000009
【図８】
2009100257.tif 000010
【図９】
2009100257.tif 000011
【図１０】
2009100257.tif 000012
【図１１】
2009100257.tif 000013
【図１２】
2009100257.tif 000014
【図１３】
2009100257.tif 000015